(57)【要約】  熱源機側と負荷設備側とで構成される熱源システムの熱源装置であって、前記熱源装置は、熱源機および熱源コントローラから構成され、前記熱源機は、熱源水と冷凍サイクルを循環する冷媒との間で熱交換させる水熱交換器と、前記水熱交換器に熱源水を送水する一次ポンプと、前記水熱交換器、前記一次ポンプからの情報により動作する熱源機制御装置とを含み、前記熱源コントローラは熱源側の熱源機制御装置及び負荷設備側に接続され、前記一次ポンプを起動させた後、前記水熱交換器の前後の熱源水の温度差または、前記水熱交換器の前後の熱源水の圧力差に応じて、前記一次ポンプによる熱源水の通水が正常か否かを判断し、通水判断により通水が確認された後、前記冷凍サイクルを動作させるようにした。
2012050087.tif 000002
【特許請求の範囲】
【請求項１】
熱源機側と負荷設備側とで構成される熱源システムの熱源装置であって、前記熱源装置は、熱源機および熱源コントローラから構成され、
前記熱源機は、熱源水と冷凍サイクルを循環する冷媒との間で熱交換させる水熱交換器と、前記水熱交換器に熱源水を送水する一次ポンプと、前記水熱交換器、前記一次ポンプからの情報により動作する熱源機制御装置とを含み、
前記熱源コントローラは熱源側の熱源機制御装置及び負荷設備側に接続され、前記一次ポンプを起動させた後、前記水熱交換器の前後の熱源水の温度差または、前記水熱交換器の前後の熱源水の圧力差に応じて、前記一次ポンプによる熱源水の通水が正常か否かを判断し、通水判断により通水が確認された後、前記冷凍サイクルを動作させるようにした事、を備えたことを特徴とする熱源装置。
【請求項２】
前記熱源コントローラは、熱源機の熱源機制御装置から、熱源水の入口側温度と出口側温度を取得し、その温度差を算出する温度差算出手段と、前記温度差と熱源コントローラに予め記憶された設定値とを比較し、一次ポンプにより正常に熱源水が通水しているか否かを判断する通水判定手段と、前記通水判定手段により一次ポンプによる通水が正常と判断された熱源機の冷凍サイクルを動作させて冷水或いは温水を生成させる冷温水生成手段を備えていることを特徴とする請求項１に記載の熱源装置。
有する。
【請求項３】
前記熱源機は、前記水熱交換器の熱源水入口側の水温を検知する入口側水温センサと、前記水熱交換器の熱源水出口側の水温を検知する出口側水温センサとを備え、前記熱源機制御装置は、前記入口側水温と前記出口側水温の温度差が所定の範囲内であるときに、前記冷凍サイクルの動作を許可することを特徴とする請求項２に記載の熱源装置。
【請求項４】
前記熱源機は、前記水熱交換器の熱源水入口側の水圧を検知する入口側水圧センサと、前記水熱交換器の熱源水出口側の水圧を検知する出口側水圧センサと、を備え、前記熱源機制御装置は、前記入口側水圧と前記出口側水圧から圧力損失を算出し、予め記憶された前記水熱交換器の流量と圧力損失とを関連付けたテーブルから前記一次ポンプの流量を推定し、推定した流量が所定値以上であるときに、前記冷凍サイクルの動作を許可することを特徴とする請求項２に記載の熱源装置。
【発明の詳細な説明】
【技術分野】
【０００１】
本発明の実施形態は、熱源機側と負荷設備側とで構成される熱源システムの熱源装置に係り、特に冷水、あるいは温水を制御下において生成する熱源装置に関する。
【背景技術】
【０００２】
従来より、例えば大規模な工場やビルといった場所に複数台の室内機（ファンコイルユニット）が設置されている場合に、熱源機からの熱源水（冷水、或いは温水）をこれらの室内機に供給して、複数の空調エリアを空調する熱源システムが利用されている。【０００３】
この熱源システムは、大きく熱源機側と負荷設備側（室内機側）とに別れ、それぞれは熱源機から負荷設備に対して熱源水を供給する送水管と負荷設備を通って再度熱源機に熱源水が戻る還水管によって接続され１つの回路を構成している。【０００４】
例えば、熱源機内で熱交換された熱源水は送水管を通って、負荷側の二次ポンプにより負荷設備に送水される。この熱源水は負荷設備内で熱交換が行われ、還水管を通り熱源機の一次ポンプに送られる。一次ポンプに送られた熱源水は、再度熱源機内を通過し回路内を循環する。【０００５】
この時、何らかの不具合により一次ポンプによる正常な通水が行われないままで熱源機が運転されると、熱源機の熱交換器内に滞留した熱源水が冷却されて凍結し、熱交換器が凍結し破裂するおそれがある。【０００６】
そのため、熱源機には、熱源水の流量を計測するための流量計が設置されており、流量計により熱源水の流れを検知している。
【先行技術文献】
【特許文献】
【０００７】
【特許文献１】特開２００６−２７５３９７号公報
【発明の概要】
【発明が解決しようとする課題】
【０００８】
しかし、流量計を設置する場合、設置費用が掛かるのはもちろんのこと、熱源システムが大きくなるに伴って流量計も大きなものが必要となるため、高額な流量計の設置に従い熱源機がより高額になるという問題があった。【０００９】
本実施形態は上記課題を解決するためになされたものであり、本実施形態の目的は、流量計を設置することなく一次ポンプによる正常な通水が行われているか否かを適切に判断することができる制御手段を備えた熱源装置を提供することである。
【課題を解決するための手段】
【００１０】
熱源機側と負荷設備側とで構成される熱源システムの熱源装置であって、前記熱源装置は、熱源機および熱源コントローラから構成され、前記熱源機は、熱源水と冷凍サイクルを循環する冷媒との間で熱交換させる水熱交換器と、前記水熱交換器に熱源水を送水する一次ポンプと、前記水熱交換器、前記一次ポンプからの情報により動作する熱源機制御装置とを含み、前記熱源コントローラは熱源側の熱源機制御装置及び負荷設備側に接続され、前記一次ポンプを起動させた後、前記水熱交換器の前後の熱源水の温度差または、前記水熱交換器の前後の熱源水の圧力差に応じて、前記一次ポンプによる熱源水の通水が正常か否かを判断し、通水判断により通水が確認された後、前記冷凍サイクルを動作させるようにした事を特徴とする。【００１１】
また、前記前記熱源コントローラは、熱源機の熱源機制御装置から、熱源水の入口側温度と出口側温度を取得し、その温度差を算出する温度差算出手段と、前記温度差と熱源コントローラに予め記憶された設定値とを比較し、一次ポンプにより正常に熱源水が通水しているか否かを判断する通水判定手段と、前記通水判定手段により一次ポンプによる通水が正常と判断された熱源機の冷凍サイクルを動作させて冷水或いは温水を生成させる冷温水生成手段を備えていることが望ましい。
【図面の簡単な説明】
【００１２】
【図１】本発明の１実施形態に係る、熱源装置を含む熱源ステムの全体の構成を示す図。
【図２】上記実施形態に係る、熱源装置の冷凍サイクルを示す図。
【図３】上記熱源装置における熱源コントローラの機能手段を示す概略ダイアグラム。
【図４】上記実施形態に係る、熱源システムの動作を示すフローチャート。
【発明を実施するための形態】
【００１３】
以下、本発明の1実施の形態について図１〜４を用いて説明する。
【００１４】
図１に示すように、本実施形態の熱源システムＳは、熱源機側Ａと負荷設備側Ｂとで構成され、大規模なビル、工場などの空調を行う空調設備や温水プールなどの給湯設備などに用いられる。
【００１５】
本実施形態においては、熱源機側Ａの熱源機１Ａ〜１Ｃを空冷式ヒートポンプチラーユニットとし、負荷設備側Ｂをファンコイル（空気調和機）とした場合について説明する。
【００１６】
熱源機側Ａには、熱源水を生成する３台の熱源機１Ａ、１Ｂ、１Ｃと、各熱源機１Ａ〜１Ｃに夫々熱源水を供給する一次ポンプ２Ａ、２Ｂ、２Ｃと、これらを統括的に運転制御する制御部である熱源コントローラ３が設け、熱源装置を構成している。
【００１７】
図２は、熱源機１Ａ〜１Ｃの冷凍サイクルおよび構成を示す図である。なお、熱源機１Ｂ、１Ｃは、熱源機１Ａと同一の構成を備えるため、図２においては、図示を省略している。
【００１８】
図２に示すように、各熱源機１Ａ〜１Ｃは、圧縮機１１、四方弁１３、第１熱交換器（空気熱交換器）１４、電動膨張弁１５、第２熱交換器（水熱交換器）１６を備え、それぞれが冷媒配管ｐによって接続されて冷凍サイクルＲを構成して設けられている。冷媒配管ｐ内には冷媒が充填されており、この冷媒が冷凍サイクルＲ内を循環する。
【００１９】
また、また、各熱源機は後述の各熱源機制御装置１０を備え、熱源コントローラ３と接続されている。
【００２０】
各熱源機１Ａ〜１Ｃの圧縮機１１は、それぞれ圧縮機用インバータ１２に接続され、この圧縮機用インバータ１２によって可変速運転される。
【００２１】
各熱源機１Ａ〜１Ｃの水熱交換器１６の熱源水入口側には、それぞれ１次ポンプ２Ａ〜２Ｃが設けられている。
【００２２】
各１次ポンプ２Ａ〜２Ｃは、それぞれ熱源機１Ａ〜１Ｃに内蔵されるとともに、それぞれ一次ポンプ用インバータ２３に接続されている。各一次ポンプ２Ａ〜２Ｃは、熱源コントローラ３からの指示に基づき、各熱源機制御装置１０を介して各一次ポンプ用インバータ装置２３によって可変速運転される。なお、各一次ポンプ２Ａ〜２Ｃは、仕様（入力―流量特性）が同一のものが使用されている。
【００２３】
各熱源機１Ａ〜１Ｃの空気熱交換器１４の近傍には、空気熱交換器１４に送風する送風機１７が設けられている。送風機１７は、それぞれ送風機用インバータ１８に接続され、この送風機用インバータ１８によって可変速運転される。
【００２４】
各熱源機１Ａ〜１Ｃの水熱交換器１６の熱源水入口付近には、各熱源機１Ａ〜１Ｃに供給される熱源水の入口側水温Ｔｗｉを計測する入口側水温センサ１９と、熱源機１に供給される熱源水の入口側水圧Ｐｗｉを計測する入口側水圧センサ２０が設けられている。
【００２５】
一方、各熱源機１Ａ〜１Ｃの水熱交換器１６の熱源水出口付近には、各熱源機１Ａ〜１Ｃから出て負荷設備側Ｂへ供給される熱源水の出口側水温Ｔｗｅを計測する出口側水温センサ２１と、各熱源機１Ａ〜１Ｃから出て負荷設備側へ供給される熱源水の出口側水圧Ｐｗｅを計測する出口側水圧センサ２２が設けられている。
【００２６】
各熱源機１Ａ〜１Ｃには、四方弁１３、電動膨張弁１５、圧縮機１１および送風機１７を駆動制御する熱源機制御装置１０が設けられる。この熱源機制御装置１０に各種センサ１９〜２２が接続される。
【００２７】
各熱源機制御装置１０は、熱源コントローラ３からの指示に基づき、各熱源機１Ａ〜１Ｃの出口側水温Ｔｗｅが予め設定された目標温度Ｔとなるように各熱源機１Ａ〜１Ｂを動作させる。
【００２８】
なお、熱源機１は、図１において３台並列となるように接続されているが、この熱源機１は何台接続されていても良い。
【００２９】
このように構成された各熱源機１Ａ〜１Ｃにおいて、冷房運転時（冷水生成時）には図２中の実線矢印で示す方向に冷媒が流れる。圧縮機１１で圧縮された冷媒は、四方弁１３、空気熱交換器１４、電動膨張弁１５、水熱交換器１６を順次通過し、再び四方弁１３を介して圧縮機１１へと戻る。このとき、空気熱交換器１４は凝縮器として作用し、水熱交換器１６は蒸発器として作用する。水熱交換器１６において、冷媒は、一次ポンプ２によって送られる熱源水と熱交換することにより、熱源水を冷却する。
【００３０】
一方、暖房運転時（温水生成時）には四方弁１３が切換わることにより、図２中の一点差線矢印で示す方向に冷媒が流れる。圧縮機１１で圧縮された冷媒は、四方弁１３、水熱交換器１６、電動膨張弁１５、および空気熱交換器１４を順次通過し、再び四方弁１３を介して圧縮機１１へと戻る。このとき、空気熱交換器１４は蒸発器として作用し、水熱交換器１６は凝縮器として作用する。水熱交換器１６において、冷媒は、一次ポンプ２によって送られる熱源水と熱交換することにより、熱源水を加熱する。
【００３１】
このように、各熱源機１Ａ〜１Ｃは、冷房／冷却用の冷水と暖房／加熱用の温水を生成することができる。
【００３２】
図１に示すように、各熱源機１Ａ〜１Ｃにおいて生成された熱源水は、その一端が各熱源機１Ａ〜１Ｃの熱源水出口に接続される送水管４を通して負荷設備側Ｂへと供給される。送水管４には、さらに二次ポンプ（負荷側ポンプ）５が接続され、負荷設備側Ｂへと熱源水が送水される。
【００３３】
二次ポンプ５は、二次ポンプ用インバータ５１によって可変速駆動され、負荷設備側Ｂへ供給する熱源水の流量が制御される。二次ポンプ５の出力(流量)は、負荷設備側Ｂが要求する冷温熱能力に応じて熱源機側Ａの動作とは無関係に流量が制御されている。
【００３４】
負荷設備側Ｂのファンコイル６（６Ａ、６Ｂ）において被空調室の空気と熱交換された熱源水は、ファンコイル６の出口側に接続されている二方弁７を介して還水管８内を流れ、熱源機側Ａの一次ポンプ２に送られる。
【００３５】
なお、ファンコイル６は、図１において２台並列となるように接続されているが、このファンコイル６は何台接続されていても良い。
【００３６】
熱源機側Ａと負荷設備側Ｂとの間に、送水管４と環水管８とを連通するバイパス管９が設けられている。上述したように、二次ポンプ５の流量は熱源機側Ａの動作とは無関係に制御されるため、熱源機側Ａを流れる熱源水の量と負荷設備側Ｂを流れる熱源水の量にアンバランスが生じることがある。このアンバランスが生じた際、バイパス管９内に熱源水が流れることよって、熱源機側Ａを流れる熱源水の量と負荷設備側Ｂを流れる熱源水の量がバランスするようになっている。
【００３７】
送水管４には、送水管４内を流れる熱源水の送水温度ＴｗＳを検知する送水温度センサ４１が設けられる。一方、環水管８には、環水管８内の熱源水の環水温度ＴｗＲを検知する環水温度センサ８１が設けられている。
【００３８】
図２に示すように、各熱源機１Ａ〜１Ｃの熱源機入口側水温センサ１９、熱源機入口側水圧センサ２０、熱源機出口側水温センサ２１および熱源機出口側水圧センサ２２において計測された温度情報は、各熱源機１Ａ〜１Ｃの熱源制御装置１０を介して熱源コントローラ３に集められる。
【００３９】
また、図１に示すように、負荷設備側Ｂも熱源コントローラ３に接続されており、送水温度センサ４１、環水温度センサ８１の温度情報も熱源コントローラ３に集められる。また、特に図示しないが、負荷設備側Ｂからの負荷側情報も熱源コントローラ３に入力される。
【００４０】
熱源コントローラ３は、各種温度情報および負荷設備側の情報に基づいて各熱源機１Ａ〜１Ｃの動作条件を決定する。そして、決定した動作条件を各室外機１Ａ〜１Ｃに通知する。各熱源機１Ａ〜１Ｃの熱源機制御装置１０は、熱源コントローラ３から通知された動作条件に従って、自機の圧縮機１１、四方弁１３、電動膨張弁１５、送風機１７および１次ポンプ２などを駆動する。
【００４１】
なお、熱源コントローラ３は、図１および図２において熱源機１Ａ〜１Ｃの外部に配置されているが、熱源機１Ａ〜１Ｃのいずれか１台に収容されていても良い。
【００４２】
熱源コントローラ３は、主要な機能として次の（１）〜（３）の手段を有する。
【００４３】
（１）各熱源機１Ａ〜１Ｃの熱源機制御装置１０から、熱源水の入口側温度Ｔｗｉと出口側温度Ｔｗｅを取得し、入口側水温Ｔｗｉと出口側水温Ｔｗｅの温度差ΔＴ（ΔＴ＝｜Ｔｗｉ−Ｔｗｅ｜）を算出する温度差算出手段。
【００４４】
（２）温度差ΔＴと熱源コントローラ３に予め記憶された設定値ＴＳとを比較し、一次ポンプ２により正常に熱源水が通水しているか否かを判断する通水判定手段。
【００４５】
（３）通水判定手段により一次ポンプ２による通水が正常と判断された熱源機１の冷凍サイクルＲを動作させて冷水或いは温水を生成させる冷温水生成手段。
【００４６】
即ち、図３に示されるように、熱源コントローラ３は、以下に詳述する、温度差算出手段３Ａ、通水判定手段３Ｂ、冷温水生成手段３Ｃを備えている。
【００４７】
前記熱源機からの情報（信号）、即ち、熱源機制御装置１０から、熱源水の入口側温度Ｔｗｉと出口側温度Ｔｗｅを取得し（入力し）、温度差算出手段３Ａで入口側水温Ｔｗｉと出口側水温Ｔｗｅの温度差ΔＴ（ΔＴ＝｜Ｔｗｉ−Ｔｗｅ｜）を算出する。
【００４８】
算出された温度差ΔＴは通水判定手段３Ｂに送られ、熱源コントローラ３に予め記憶された設定値ＴＳとを比較し、一次ポンプ２により正常に熱源水が通水しているか否かを判断する。この意味では、通水判定手段３Ｂは比較機能、判断機能を有しているともいえる。尚、予め記憶された設定値は通水判定手段３Ｂ内に機能手段として設けても良いし、外部配置として熱源コントローラ３に接続することも出来る。
【００４９】
更に、通水判定手段３Ｂには冷温水生成手段３Ｃが接続されていて、通水判定手段３Ｂにより一次ポンプ２による通水が正常と判断された熱源機１の冷凍サイクルＲを動作させて冷水或いは温水を生成させる。冷温水生成手段３Ｃからの情報は熱源機制御装置１０に戻る。これらの動作は各手段間で信号の入出力により実施される。
【００５０】
次に、上記のような熱源システムＳの動作について図４を参照して説明する。
【００５１】
図４は、熱源コントローラ３および各熱源機１Ａ〜１Cの熱源機制御装置１０が実行する処理のフローチャートである。
【００５２】
オペレータが負荷設備側Ｂに設けられた操作部、または、熱源コントローラ３に設けられた操作部を操作する、あるいは、熱源コントローラ３に設定された運転スケジュールに応じて運転開始が指示されると、まず、熱源コントローラ３の指令に基づいて、各熱源機制御装置１０が各熱源機１Ａ〜１Ｃの一次ポンプインバータ２３を介して１次ポンプ２Ａ〜２Ｃを所定の周波数で駆動させる（ステップＳ１）。
【００５３】
所定時間経過後（ステップＳ２のＹｅｓ）、熱源コントローラ３は、各熱源機制御装置１０から各熱源機１Ａ〜１Ｃの入口側水温Ｔｗｉと出口側水温Ｔｗｅを取得する（ステップＳ３）。
【００５４】
次に、熱源コントローラ３は、ステップＳ３の処理にて取得した各熱源機１Ａ〜１Ｃの入口側水温Ｔｗｉと出口側水温Ｔｗｅの温度差ΔＴ（ΔＴ＝｜Ｔｗｉ−Ｔｗｅ｜）を算出する（ステップＳ４）。
【００５５】
次に、熱源コントローラ３は、熱源コントローラ３に予め記憶された設定値Ｔｓ（例えば、Ｔｓ＝２℃）と、ステップＳ４の処理で算出した各熱源機１Ａ〜１ＣのΔＴとを比較する（ステップＳ５）。
【００５６】
ここで、各熱源機１Ａ〜１Ｃの冷凍サイクルＲは動作していないので、水熱交換器１６を通過する前後で熱源水に温度変化は生じない。しかし、各一次ポンプ２Ａ〜２Ｃを駆動させた時点でエア溜まり等により正常に熱源水が流れなかった場合、各一次ポンプ２Ａ〜２Ｃから発生する熱が各一次ポンプ２Ａ〜２Ｃの下流側に位置する入口側水温センサ１９に伝わり、この入口側水温センサ１９により検知される入口側水温Ｔｗｉが出口側水温センサ２１により検知される出口側水温Ｔｗｅよりも高くなる。また、各一次ポンプ２Ａ〜２Ｃを駆動させた時点で水熱交換器１６内部が部分凍結等により少しの熱源水しか流れなかった場合、当該凍結部分を流れて冷却された熱源水の熱が出口側水温センサ２１に伝わり、この出口側水温センサ２１により検知される出口側水温Ｔｗｅが入口側水温センサ１９により検知される入口温度水温Ｔｗｉよりも低くなる。
【００５７】
つまり、何らかの不具合で各一次ポンプ２Ａ〜２Ｃによる通水に異常がある場合は、入口側水温Ｔｗｉと出口側水温Ｔｗｅとの間に温度差ΔＴが生じる。このΔＴが設定値Ｔｓより大きければ、各一次ポンプ２Ａ〜２Ｃによる通水に異常があると判断できる。
【００５８】
逆に、入口側水温Ｔｗｉと出口側水温Ｔｗｅの温度差ΔＴが設定値Ｔｓ以下であれば、各一次ポンプ２Ａ〜２Ｃによる通水が正常であると判断できる。
【００５９】
従って、熱源コントローラ３は、ステップＳ５において各熱源機１Ａ〜１Ｃにおける温度差ΔＴが設定値Ｔｓ以下の場合（ステップＳ５のＹｅｓ）、各一次ポンプ２Ａ〜２Ｃにより熱源水が正常に通水していると判断し、各熱源機１Ａ〜１Ｃの冷凍サイクルＲを動作させて冷水或いは温水の生成を開始する（ステップＳ６）。
【００６０】
各熱源機１Ａ〜１Ｃの温度差ΔＴが設定値Ｔｓよりも大きい場合（ステップＳ５のＮｏ）、熱源コントローラ３は、各一次ポンプ２Ａ〜２Ｃにより熱源水が正常に通水していないと判断し、熱源コントローラ３に設けられた表示手段に通水異常がある熱源機の情報を表示させ（ステップＳ７）、通水異常がある熱源機の冷凍サイクルＲを動作させない。
【００６１】
熱源コントローラ３は、通水が正常な熱源機の冷凍サイクルＲを動作させて冷水あるいは温水の生成を開始する（ステップＳ８）。
【００６２】
以上説明したように、本実施形態における熱源装置は、高価な流量計を設置することなく各一次ポンプ２Ａ〜２Ｃによる通水状態を把握することができ、通水異常がある熱源機の冷凍サイクルＲを動作させないので、水熱交換器１６の凍結や破裂等を未然に防止することができる。
【００６３】
前記実施形態では、入口側水温センサ１９により検知される入口側水温Ｔｗｉと出口側水温センサ２１により検知される出口側水温Ｔｗｅの温度差ΔＴにより各一次ポンプ２Ａ〜２Ｃによる通水状態を判断したが、これに替えて、入口側水圧センサ２０により検知される入口側水圧Ｐｗｉと出口側水圧センサ２１により検知される出口側水圧Ｐｗｅの圧力差ΔＰ（圧力損失）を用いて各一次ポンプ２Ａ〜２Ｃによる通水状態を判断してもよい。
【００６４】
具体的には、熱源コントローラ３に予め記憶させた水熱交換器１６の流量と圧力損失ΔＰとを関連付けたテーブルに、各熱源機１Ａ〜１Ｃの入口側水圧センサ２０により検知される入口側水圧Ｐｗｉと出口側水圧センサ２１により検知される出口側水圧Ｐｗｅから算出した圧力損失ΔＰを対応させて、各熱源機１Ａ〜１Ｃの水熱交換器１６を流れる熱源水の流量Ｑを推定し、推定した流量Ｑが所定の流量以上であるか否かによって各一次ポンプ２Ａ〜２Ｃによる通水状態を判断することができる。
【００６５】
また、各熱源機１Ａ〜１Ｃの出口側水圧センサ２２により検知される出口側水圧Ｐｗｅが、各一次ポンプ２Ａ〜２Ｃの起動後に、起動前よりも所定値以上の水圧上昇を検知した場合に、各一次ポンプ２Ａ〜２Ｃによる通水が正常であると判断してもよい。
【００６６】
また、負荷設備側Ｂの負荷に応じて熱源コントローラ３が熱源機１の運転台数を制御する場合においては、既に冷水あるいは温水を生成するために運転している熱源機から検知された出口側水圧Ｐｗｅ（２台以上の熱源機が既に起動している場合にはその平均値）と、熱源コントローラ３の運転台数増加指令により新たに一次ポンプを起動した熱源機から検知された出口側水圧Ｐｗｅとを比較して、両者の差が所定の範囲内であれば、新たに一次ポンプを起動した熱源機において通水が正常に行われていると判断してもよい。
【００６７】
また、既に冷水あるいは温水を生成するために運転している熱源機から検知された入口側水温Ｔｗｉ（２台以上の熱源機が既に起動している場合にはその平均値）と、熱源コントローラ３の運転台数増加指令により新たに一次ポンプを起動した熱源機から検知された入口側水温Ｔｗｉとを比較して、両者の差が所定の範囲内であれば、新たに一次ポンプを起動した熱源機において通水が正常に行われていると判断してもよい。
【００６８】
その他、上記実施形態は、例として提示したものであり、発明の範囲を限定することは意図していない。これら新規な実施形態は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００６９】
Ｓ…熱源システム、Ａ…熱源機側、Ｂ…負荷設備側、１Ａ〜１Ｃ…熱源機、２Ａ〜２Ｃ
…一次ポンプ、３…熱源コントローラ、１０…熱源機制御装置、１９…熱源機入口側温センサ、２０…熱源機入口側水圧センサ、２１…熱源機出口側水温センサ、２２…熱源機出口側水圧センサ
【図１】
2012050087.tif 000003
【図２】
2012050087.tif 000004
【図３】
2012050087.tif 000005
【図４】
2012050087.tif 000006
【国際調査報告】
2012050087.tif 000007
2012050087.tif 000008
2012050087.tif 000009
2012050087.tif 000010